(57)【要約】      （修正有）【課題】シート自体の張設、取り外し作業を極めて容易に行うことのできるシートを提供する。【解決手段】端縁部同士が連結されて連続した面状のシート複合体が構成可能とされた屋外で使用されるシートにおいて、互いに連結される一方のシート１０ａおよび他方のシート１０ｃが、一方のシートにおける連結端縁部および他方のシートにおける被連結端縁部の各々に設けられた主ファスナー構成部材による主連結手段２０によって連結されると共に、主連結手段による連結部２５が一方のシートに設けられたカバーシート３０によって覆われた状態で、カバーシートの一端縁部に設けられた一方の補助ファスナー構成部材が、他方のシートに設けられた他方の補助ファスナー構成部材に固定されて、連結構造が形成される構成とする。【選択図】図２
0003187675.tif 000002
【実用新案登録請求の範囲】
【請求項１】
端縁部同士が連結されて連続した面状のシート複合体が構成可能とされた、屋外で使用されるシートであって、
矩形状のシート基体と、当該シート基体における連結端縁部および当該連結端縁部に対向する被連結端縁部の各々に設けられた互いに対をなす主ファスナー構成部材と、一端縁部が自由端とされると共に他端縁部が固定された状態で当該連結端縁部に沿って延びるよう設けられたカバーシートとを備えており、
当該カバーシートの一端縁部には、補助連結手段を構成する一方の補助ファスナー構成部材が設けられており、
互いに連結される一方のシートおよび他方のシートが、当該一方のシートにおける連結端縁部および当該他方のシートにおける被連結端縁部の各々に設けられた前記主ファスナー構成部材による主連結手段によって連結されると共に、当該主連結手段による連結部が前記一方のシートにおけるカバーシートによって覆われた状態で、当該カバーシートの一端縁部が、当該他方のシートに設けられた、前記一方の補助ファスナー構成部材と対をなす他方の補助ファスナー構成部材に固定されて、連結構造が形成されることを特徴とするシート。
【請求項２】
帯状の面ファスナーよりなる結束手段を備えていることを特徴とする請求項１に記載のシート。
【請求項３】
前記シート基体の一方向における一端縁部および当該一端縁部に連続する一方の端縁部が連結端縁部とされ、当該連結端縁部の各々に対向する端縁部がそれぞれ被連結端縁部とされており、当該シート基体の全周方向において、前記主連結手段と前記補助連結手段とによる連結構造が形成可能に構成されていることを特徴とする請求項１または請求項２に記載のシート。
【請求項４】
前記主連結手段が線ファスナーにより構成されていることを特徴とする請求項１乃至請求項３のいずれかに記載のシート。
【請求項５】
前記補助連結手段が面ファスナーにより構成されていることを特徴とする請求項１乃至請求項４のいずれかに記載のシート。
【請求項６】
前記結束手段によって、建設工事現場において設置された仮設足場に張設されて用いられることを特徴とする請求項２乃至請求項５のいずれかに記載のシート。
【請求項７】
塗料の飛散防止用の養生シートとして用いられることを特徴とする請求項６に記載のシート。
【考案の詳細な説明】
【技術分野】
【０００１】
本考案は、例えば、建築、土木、農業およびその他の分野において、例えば塗料の飛散防止や資材の落下防止などの養生や、防炎、防火、防風、防砂、日除け、あるいは目隠しなどに用いられるシートに関する。
【背景技術】
【０００２】
従来、ビルやマンション等の建物の外壁面の補修、洗浄、塗装等の外壁工事においては、外壁面の外側に仮設足場を組立て、その外側に養生シートを張設して、この養生シートによって仮設足場内での作業で発生する塗料等の外部への飛散を防止している。
【０００３】
このような養生シートの張設方法としては、通常、上下方向および／または左右方向に養生シートを重ね、図６に示すように、隣接する養生シート６０ａ，６０ｂ同士を紐状の結束具６５で締結すると共に、養生シート６０ａ（６０ｂ）の両側縁部に形成された取付孔６１と仮設足場の隣接する支柱６８とを、養生シート６０ａ，６０ｂ間に隙間ができないよう、紐状の結束具６５により締結している（例えば特許文献１参照。）。
【先行技術文献】
【特許文献】
【０００４】
【特許文献１】特開２０１２−１８４６１８号公報
【考案の概要】
【考案が解決しようとする課題】
【０００５】
ところで、例えば外壁工事の場合には居住者が居住したまま作業が行われるが、養生シートを張設した状態においては、養生シート自体に透光性及び通風性が備わっていたとしても、居住者にとって視界が遮られて閉塞感が生じるとともに、室内への日光の照射も妨げられるなどの問題がある。そのため、その日の外壁工事の終了後や外壁工事の休日においては、養生シートを外したい要望がある。
また、このような養生シートは屋外に張設してあるため、強い風が吹くと養生シートが風を受け、仮設足場等の支柱と共に倒壊するおそれがある。そのため、例えば、強風が予想される場合には、通常、予め養生シートを外したり、畳んで風が抜けるようにしたりする必要がある。
【０００６】
しかしながら、上記のような紐状の結束具６５を利用した養生シート６０ａ，６０ｂの張設方法においては、養生シート６０ａ，６０ｂを外す際には、作業者が支柱６８からの結束具６５の外し作業等を個々に行う必要があり、時間と経費が嵩むばかりか、例えば、期せずして強風が吹いた場合などには、速やかに対処することができない、という問題がある。
【０００７】
本考案は、以上のような事情に基づいてなされたものであって、シート自体の張設、取り外し作業を極めて容易に行うことのできるシートを提供することを目的とする。
【課題を解決するための手段】
【０００８】
本考案のシートは、端縁部同士が連結されて連続した面状のシート複合体が構成可能とされた、屋外で使用されるシートであって、
矩形状のシート基体と、当該シート基体における連結端縁部および当該連結端縁部に対向する被連結端縁部の各々に設けられた互いに対をなす主ファスナー構成部材と、一端縁部が自由端とされると共に他端縁部が固定された状態で当該連結端縁部に沿って延びるよう設けられたカバーシートとを備えており、
当該カバーシートの一端縁部には、補助連結手段を構成する一方の補助ファスナー構成部材が設けられており、
互いに連結される一方のシートおよび他方のシートが、当該一方のシートにおける連結端縁部および当該他方のシートにおける被連結端縁部の各々に設けられた前記主ファスナー構成部材による主連結手段によって連結されると共に、当該主連結手段による連結部が前記一方のシートにおけるカバーシートによって覆われた状態で、当該カバーシートの一端縁部が、当該他方のシートに設けられた、前記一方の補助ファスナー構成部材と対をなす他方の補助ファスナー構成部材に固定されて、連結構造が形成される。
【０００９】
本考案のシートにおいては、帯状の面ファスナーよりなる結束手段を備えた構成とされていることが好ましい。
【００１０】
また、本考案のシートにおいては、前記シート基体の一方向における一端縁部および当該一端縁部に連続する一方の端縁部が連結端縁部とされ、当該連結端縁部の各々に対向する端縁部がそれぞれ被連結端縁部とされており、当該シート基体の全周方向において、前記主連結手段と前記補助連結手段とによる連結構造が形成可能に構成されていることが好ましい。
【００１１】
さらにまた、本考案のシートにおいては、前記主連結手段が線ファスナーにより構成されていることが好ましい。
さらにまた、前記補助連結手段が面ファスナーにより構成されていることが好ましい。
【００１２】
さらにまた、本考案のシートは、前記結束手段によって、建設工事現場において設置された仮設足場に張設されて用いられるものとすることができ、特に、塗料の飛散防止用の養生シートとして用いることができる。
【考案の効果】
【００１３】
本考案のシートによれば、主連結手段および補助連結手段を構成するファスナーを係合させることによりシートの連結構造を形成することができるので、シート同士を極めて容易に連結させることができる。しかも、カバーシートによって主連結手段による連結部が保護されるので、主連結手段を構成するファスナーの性能を維持することができると共に、主連結手段による係合が期せずして解除された場合であっても、補助連結手段によって、シートの連結状態を維持することができるので、シートの連結が解除されることによる不具合が生ずることを確実に回避することができる。
【００１４】
さらにまた、例えば仮設足場等に対する結束手段が面ファスナーにより構成されていることにより、シートの張設、取り外し作業を容易に行うことができる。
【図面の簡単な説明】
【００１５】
【図１】本考案のシートの一例における構成の概略を示す平面図である。
【図２】本考案のシートの一方向における連結状態を一部を省略して示す平面図である。
【図３】本考案のシートの他の例における構成の概略を示す平面図である。
【図４】本考案のシートの二方向における連結状態を一部を省略して示す平面図である。
【図５】本考案のシートによるシート複合体が張設された状態を概略的に示す平面図である。
【図６】従来における養生シートの張設された状態を概略的に示す平面図である。
【考案を実施するための形態】
【００１６】
本考案のシートは、端縁部同士が連結されて連続した面状のシート複合体が構成可能とされた、屋外で用いられるものである。以下においては、例えば、建設工事現場などにおいて設置された仮設足場に張設されて用いられる構成のものを例に挙げて説明する。
【００１７】
図１は、本考案のシートの一例における構成の概略を示す平面図である。
この例のシート１０ａは、矩形状のシート基体１１を具えており、このシート基体１１の一方向（図１において左右方向）に、例えば同一構成を有する他のシート１０ｂ，１０ｃが連結可能に構成されている。以下、便宜上、シート基体１１の一方向を「幅方向」、当該一方向に直交する方向を「長さ方向」という。
シート基体１１としては、特に限定されるものではないが、例えば透光性および通風性を有するメッシュシートなどを用いることができる。
【００１８】
シート基体１１における連結端縁部（図１において右端縁部）１２および被連結端縁部（図１において左端縁部）１３には、互いに対をなす雌雄型の主ファスナー構成部材が設けられており、互いに係合される、一のシートにおける連結端縁部１２に設けられた一方の主ファスナー構成部材２１と他のシートにおける被連結端縁部１３に設けられた他方の主ファスナー構成部材２２とにより、主連結手段が構成されている。この例における主連結手段は、線ファスナー（スライドファスナー）により構成されている。
【００１９】
一のシートにおける連結端縁部１２には、一のシートと他のシートとの主連結手段による主連結部を保護する矩形状のカバーシート３０が、その一端縁部（図１における右端縁部）が自由端とされると共に他端縁部（図１における左端縁部）がシート基体１１に固定（例えば縫着）された状態で当該連結端縁部１２に沿って長さ方向に延びるよう設けられている。
カバーシート３０としては、シート基体１１を構成する材質として例示したもの（例えばメッシュシート）を用いることができる。
【００２０】
一のシートにおけるカバーシート３０は、補助連結手段によって、他のシートにおけるシート基体１１に対して固定される。この例における補助連結手段は、例えばマジックテープ（登録商標）などの面ファスナーにより構成されている。一のシートにおけるカバーシート３０の一端縁部の内面には、補助連結手段３５を構成する一方の補助ファスナー構成部材３６が設けられており、他のシートにおけるシート基体１１には、一方の補助ファスナー構成部材３６と対をなす他方の補助ファスナー構成部材３８が設けられている。
一方の補助ファスナー構成部材３６は、複数の帯状の面ファスナー要素３７がカバーシート３０の一端縁に沿って長さ方向における互いに離間した位置に設けられて構成されている。また、他方の補助ファスナー構成部材３８は、一方の補助ファスナー構成部材３６を構成する面ファスナー要素３７の各々と対応する複数の帯状の面ファスナー要素３９がシート基体１１の他端縁に沿って長さ方向における互いに離間した位置に設けられて構成されている。なお、図１においては、便宜上、各々の面ファスナー要素３７，３９の係合面に斜線が付してある。
【００２１】
補助連結手段による補助連結部は、カバーシート３０の長さ方向の全域にわたって形成されている必要はなく、少なくともカバーシート３０の長さ方向の寸法の８０％以上の大きさの領域に形成されていれば、所期の機能を得ることができる。
【００２２】
このシートにおいては、図２に示すように、互いに連結される一方のシート１０ａおよび他方のシート１０ｃが、一方のシート１０ａにおける連結端縁部１２および他方のシート１０ｃにおける被連結端縁部１３の各々に設けられた主ファスナー構成部材２１，２２による主連結手段２０によって連結されると共に、主連結手段２０による主連結部２５が一方のシート１０ａにおけるカバーシート３０によって覆われた状態で、一方のシート１０ａにおけるカバーシート３０に設けられた一方の補助ファスナー構成部材３６と、他方のシート１０ｃに設けられた他方の補助ファスナー構成部材３８とによる補助連結手段３５によって連結されて、連結構造が形成される。具体的には、一方のシート１０ａにおける主ファスナー構成部材２１と、他方のシート１０ｃにおける主ファスナー構成部材とが係合されると共に、一方のシート１０ａのカバーシート３０における一方の補助ファスナー構成部材３６を構成する各々の面ファスナー要素３７が、他方のシート１０ｃのシート基体１１に設けられた他方の補助ファスナー構成部材３８を構成する対応する面ファスナー要素３９に係合されて固定され、これにより、連結構造が形成される。
【００２３】
以上において、一方のシート１０ａには、例えば仮設足場を構成する支柱（パイプ）に対する例えば面ファスナーよりなる結束手段が設けられている。この例における結束手段は、カバーシート３０の外面における他端縁部（左端縁部）に設けられた帯状の面ファスナー要素よりなる一方の結束用ファスナー構成部材４０と、カバーシート３０の外面における一端縁部（右端縁部）に設けられた他方の結束用ファスナー構成部材４１とにより構成されている。一方の結束用ファスナー構成部材４０は、他端部がカバーシート３０に固定（縫着）されている。図２においては、便宜上、一の結束手段のみを示してあるが、実際上は、複数の結束手段が長さ方向における互いに離間した位置に設けられた構成とされる。
そして、複数のシートが一方向（シート基体の幅方向）に連結されてなるシート複合体は、結束手段によって、仮設足場を構成する支柱（パイプ）に装着されて張設される。
【００２４】
上記構成のシート１０（ａ〜ｃ）によれば、主連結手段２０および補助連結手段３５を構成する線ファスナーおよび面ファスナーを係合させることによりシート１０（ａ〜ｃ）の連結構造を形成することができるので、シート１０（ａ〜ｃ）同士を極めて容易に連結させることができる。しかも、カバーシート３０によって主連結手段２０による主連結部２５が保護されるので、主連結手段２０を構成する線ファスナーの性能を維持することができると共に、主連結手段２０による係合が期せずして解除された場合であっても、補助連結手段３５によって、シート１０（ａ〜ｃ）の連結状態を維持することができるので、シート１０（ａ〜ｃ）の連結が解除されることによる不具合が生ずることを確実に回避することができる。
また、カバーシート３０によって、隣接するシート間に隙間が形成されることを確実に防止することができる、という付随的な効果を得ることができる。
【００２５】
さらにまた、例えば仮設足場等に対する結束手段が面ファスナーにより構成されていることにより、シート１０（ａ〜ｃ）の張設、取り外し作業を容易に行うことができる。従って、上記のシート１０（ａ〜ｃ）は、一旦張設されたシートを一時的に取り外したいという要望のある、例えば塗料の飛散防止用の養生シートとして極めて有用なものとなる。
【００２６】
以上、本考案の一実施形態について説明したが、本考案は上記の実施形態に限定されるものではなく、種々の変更を加えることができる。
例えば、上記の実施形態においては、シートが一方向（幅方向）のみに連結される場合について説明したが、本考案のシートは、シート基体の全周方向（幅方向および長さ方向）に他のシートが連結可能に構成されていてもよい。
【００２７】
図３は、本考案のシートの他の例における構成の概略を示す平面図である。図４は、本考案のシートの二方向における連結状態を一部を省略して示す平面図である。
このシート５０ａ（５０ｂ，５０ｃ，５０ｄ）は、シート基体１１の一方向（幅方向）における一端縁部（右端縁部）および当該一端縁部に連続する一方の端縁部（下端縁部）が連結端縁部１２，１４とされ、当該連結端縁部１２，１４の各々に対向する端縁部（左端縁部および上端縁部）がそれぞれ被連結端縁部１３，１５とされている。そして、シート基体１１の全周方向において、主連結手段と補助連結手段とによる連結構造が形成可能に構成されている。図３においては、図１に示す構成のシート１０ａと同一の構成部材には、便宜上、同一の符号が付してあり、シート基体１１の幅方向に隣接するシート５０ａ，５０ｂ（５０ｃ，５０ｄ）が既に連結された状態が示されている。
【００２８】
シートの連結構造について具体的に説明すると、互いに連結される一方のシート５０ａ（５０ｂ）および他方のシート５０ｃ（５０ｄ）が、一方のシート５０ａ（５０ｂ）における長さ方向の連結端縁部（以下、「第２の連結端縁部」という。）１４および他方のシート５０ｃ（５０ｄ）における長さ方向の被連結端縁部（以下、「第２の被連結端縁部」という。）１５の各々に設けられた主ファスナー構成部材２１ａ，２２ａによる第２の主連結手段２０ａによって連結されると共に、第２の主連結手段２０ａによる主連結部２５が一方のシート５０ａにおけるカバーシート３０ａによって覆われた状態で、カバーシート３０ａの一端縁部の内面に設けられた一方の補助ファスナー構成部材３６ａと、他方のシート５０ｃ（５０ｄ）のシート基体１１に設けられた他方の補助ファスナー構成部材３８ａとによる第２の補助連結手段３５ａによって連結されて、連結構造が形成される。具体的には、一方のシート５０ａ（５０ｂ）における主ファスナー構成部材２１ａと、他方のシート５０ｃ（５０ｄ）における主ファスナー構成部材２２ａとが係合されると共に、一方のシート５０ａ（５０ｂ）のカバーシート３０ａにおける一方の補助ファスナー構成部材３６ａを構成する面ファスナー要素３７ａの各々が、他方のシート５０ｃ（５０ｄ）における他方の補助ファスナー構成部材３８ａを構成する対応する面ファスナー要素３９ａに係合されて固定され、これにより、連結構造が形成される。
この例においては、第２の主連結手段２０ａは、線ファスナー（スライドファスナー）により構成されており、第２の補助連結手段３５ａは、面ファスナーにより構成されている。
【００２９】
そして、複数のシートが二方向（シート基体の幅方向および長さ方向）に連結されてなるシート複合体は、結束手段によって、シート支持部材としての仮設足場を構成する支柱（パイプ）に装着されて張設される。
結束手段は、カバーシート３０ａの外面における他端縁部（上端縁部）に設けられた帯状の面ファスナー要素よりなる一方の結束用ファスナー構成部材４０ａと、カバーシート３０ａの外面における一端縁部（下端縁部）に設けられた他方の結束用ファスナー構成部材４１ａとにより構成されており、図５に示すように、一のシート１０ａにおける一方の結束用ファスナー構成部材４０，４０ａがそれぞれ縦横に延びる支柱４５，４５ａの外周に巻かれた状態で、対応する他方の結束用ファスナー構成部材４１，４１ａに係合される。
【００３０】
また、本考案のシートにおいては、主連結手段は、例えばマジックテープ（登録商標）等の面ファスナーや、スナップボタン等などの点ファスナーにより構成されていてもよく、補助連結手段は、ジッパー等の線ファスナーや、スナップボタン等などの点ファスナーにより構成されていてもよい。
さらにまた、補助ファスナー構成部材として、長尺な帯状の面ファスナー要素が用いられ、長さ方向に連続した補助連結部が形成されるよう構成されていてもよい。
【符号の説明】
【００３１】
１０ａ，１０ｂ，１０ｃ  シート
１１  シート基体
１２  連結端縁部
１３  被連結端縁部
１４  第２の連結端縁部
１５  第２の被連結端縁部
２０  主連結手段
２０ａ  第２の主連結手段
２１，２１ａ  一方の主ファスナー構成部材
２２，２２ａ  他方の主ファスナー構成部材
２５  主連結部
３０，３０ａ  カバーシート
３５  補助連結手段
３５ａ  第２の補助連結手段
３６，３６ａ  一方の補助ファスナー構成部材
３７，３７ａ  面ファスナー要素
３８，３８ａ  他方の補助ファスナー構成部材
３９，３９ａ  面ファスナー要素
４０，４０ａ  一方の結束用ファスナー構成部材
４１，４１ａ  他方の結束用ファスナー構成部材
４５，４５ａ  支柱
５０ａ，５０ｂ，５０ｃ，５０ｄ  シート
６０ａ，６０ｂ  養生シート
６１  取付孔
６５  結束具
６８  支柱
【図１】
0003187675.tif 000003
【図２】
0003187675.tif 000004
【図３】
0003187675.tif 000005
【図４】
0003187675.tif 000006
【図５】
0003187675.tif 000007
【図６】
0003187675.tif 000008
【手続補正書】
【提出日】平成25年10月4日(2013.10.4)
【手続補正１】
【補正対象書類名】実用新案登録請求の範囲
【補正対象項目名】全文
【補正方法】変更
【補正の内容】
【実用新案登録請求の範囲】
【請求項１】
端縁部同士が連結されて連続した面状のシート複合体が構成可能とされた、屋外で使用されるシートであって、
矩形状のシート基体と、当該シート基体における連結端縁部および当該連結端縁部に対向する被連結端縁部の各々に設けられた互いに対をなす主ファスナー構成部材と、一端縁部が自由端とされると共に他端縁部が固定された状態で当該連結端縁部に沿って延びるよう設けられたカバーシートとを備えており、
当該カバーシートの一端縁部には、補助連結手段を構成する一方の補助ファスナー構成部材が設けられており、
互いに連結される一方のシートおよび他方のシートが、当該一方のシートにおける連結端縁部および当該他方のシートにおける被連結端縁部の各々に設けられた前記主ファスナー構成部材による主連結手段によって連結されると共に、当該主連結手段による連結部が前記一方のシートにおけるカバーシートによって覆われた状態で、当該カバーシートの一端縁部が、当該他方のシートに設けられた、前記一方の補助ファスナー構成部材と対をなす他方の補助ファスナー構成部材に固定されて、連結構造が形成されることを特徴とするシート。
【請求項２】
帯状の面ファスナーよりなる結束手段を備えており、当該結束手段は、前記カバーシートの外面における他端縁部に、他端部が固定されて設けられた帯状の面ファスナー要素よりなる一方の結束用ファスナー構成部材と、当該カバーシートの外面における一端縁部に設けられた他方の結束用ファスナー構成部材とにより構成されていることを特徴とする請求項１に記載のシート。
【請求項３】
前記シート基体の一方向における一端縁部および当該一端縁部に連続する一方の端縁部が連結端縁部とされ、当該連結端縁部の各々に対向する端縁部がそれぞれ被連結端縁部とされており、当該シート基体の全周方向において、前記主連結手段と前記補助連結手段とによる連結構造が形成可能に構成されていることを特徴とする請求項１または請求項２に記載のシート。
【請求項４】
前記主連結手段が線ファスナーにより構成されていることを特徴とする請求項１乃至請求項３のいずれかに記載のシート。
【請求項５】
前記補助連結手段が面ファスナーにより構成されていることを特徴とする請求項１乃至請求項４のいずれかに記載のシート。
【請求項６】
前記カバーシートの外面には、複数の結束手段が前記連結端縁部に沿った方向における互いに離間した位置に設けられていることを特徴とする請求項２乃至請求項５のいずれかに記載のシート。
【請求項７】
前記シート基体は、透光性および通風性を有するメッシュシートよりなることを特徴とする請求項１乃至請求項６のいずれかに記載のシート。
【手続補正２】
【補正対象書類名】明細書
【補正対象項目名】０００９
【補正方法】変更
【補正の内容】
【０００９】
本考案のシートにおいては、帯状の面ファスナーよりなる結束手段を備えており、当該結束手段は、前記カバーシートの外面における他端縁部に、他端部が固定されて設けられた帯状の面ファスナー要素よりなる一方の結束用ファスナー構成部材と、当該カバーシートの外面における一端縁部に設けられた他方の結束用ファスナー構成部材とにより構成されていることが好ましい。
【手続補正３】
【補正対象書類名】明細書
【補正対象項目名】００１２
【補正方法】変更
【補正の内容】
【００１２】
さらにまた、本考案のシートにおいては、前記カバーシートの外面には、複数の結束手段が前記連結端縁部に沿った方向における互いに離間した位置に設けられた構成とされていることが好ましい。
さらにまた、本考案のシートは、前記シート基体は、透光性および通風性を有するメッシュシートにより構成されていることが好ましい。